(57)【要約】【課題】通信容量要件が満たせない場合にも収集時間制約を満たし、かつ通信ネットワークがカバーしている電力線の置かれた環境に応じて優先して収集すべき端末を自動で選択して収集するというように収集対象を工夫することで、監視情報を収集時間制約内に収集すること。【解決手段】設備管理サーバで関連情報の追加変更時に以下を該当する通信ネットワーク毎に1回ずつ実行する。該当する通信ネットワークに属する全端末から情報を収集する場合の収集時間をネットワーク構成テーブル、通信メディア別環境制約テーブル、共通環境制約テーブルを参照して計算し、収集時間要件を超える場合は電力線環境制約テーブルと端末選択ロジックリストテーブルから端末選択ロジックの適用順序を決定し、決定した端末選択ロジック適用順に収集端末を1つずつ選択して上述の方法で収集時間を計算して収集時間要件を満たす間収集端末として追加してゆく。【選択図】  図１
2014006831.tif 000002
【特許請求の範囲】
【請求項１】
配電線の情報を収集する情報収集方法であって、
配電線の構成が変更された際に、情報収集サーバが、変更後の配電線の構成に含まれる全ての配電線監視端末から情報を収集するために要する時間を算出する計算ステップと、
前記情報収集サーバが、前記算出された時間と予め設定された情報収集の制限時間とを比較する比較ステップと、
前記情報収集サーバが、前記比較の結果、前記算出された時間が前記予め設定された制限時間を超える場合、予め記憶された、情報収集の対象となる配電線監視端末を選択する複数のプログラムに、前記変更後の配電線の構成に基づいた優先順位を付与する優先順位付与ステップと、
前記情報収集サーバが、前記優先順位付与ステップで付与した優先順位に従って、前記プログラムを実行し、情報収集の対象となる配電線監視端末を選択する端末選択ステップと、
前記端末選択ステップで選択された配電線監視端末から情報を収集する情報収集ステップと、
を備えることを特徴とする情報収集方法。
【請求項２】
請求項１に記載の情報収集方法において、
前記情報収集サーバの記憶部には予め配電線の構成情報に含まれる項目と、その項目に対応するしきい値とが対応付いたテーブルが記憶されており、
前記優先順位付与ステップは、前記情報収集サーバが前記変更後の配電線の構成と前記テーブルとに基づいて当該配電線の構成の特徴を算出し、当該特徴に対応するプログラムを優先するように、前記優先順位を付与することを特徴とする情報収集方法。
【請求項３】
請求項１または請求項２に記載の情報収集方法において、
前記端末選択ステップは、各プログラムで選択される配電線監視端末を、プログラムの優先順位に従って、前記予め設定された制限時間内で情報収集を実施できる最大数になるまで追加するステップであることを特徴とする情報収集方法。
【請求項４】
請求項１または請求項２に記載の情報収集方法において、
前記端末選択ステップは、各プログラムで選択される配電線監視端末を、プログラムの優先順位に従って、前記予め設定された制限時間内で情報収集を実施できる最大数から所定の数を減じた数の配電線監視端末を選択するステップであることを特徴とする情報収集方法。
【請求項５】
請求項３または請求項４に記載の情報収集方法において、
前記複数のプログラムは、区間開閉器に接続された配電線監視端末を選択するプログラム、事前に設定された配電線監視端末を選択するプログラム、柱状変圧器のタップ切り替え点近傍の配電線監視端末を選択するプログラム、および配電線の各分岐の末端を選択するプログラム、であることを特徴とする情報収集方法。
【請求項６】
請求項４に記載の情報収集方法において、
電力線において予め決められた規定範囲の電圧を逸脱したことを検知した場合は、前記情報収集サーバが、電圧逸脱を検知した複数の配電線監視端末の中で最も配電変電所に近い配電線監視端末を特定し、当該特定した配電線監視端末から配電変電所方向に隣接する配電線監視端末を情報収集の対象として選択する電圧逸脱時情報収集対象選択ステップと、前記電圧逸脱時情報収集対象選択ステップで情報収集の対象となった配電線監視端末から情報を収集するために要する時間を算出する電圧逸脱時計算ステップと、
前記情報収集サーバが、前記算出された時間と予め設定された情報収集の制限時間とを比較する電圧逸脱時比較ステップと、
前記比較の結果、前記算出された時間が前記予め設定された制限時間を超える場合に、前記情報収集サーバが、情報収集の対象となっている配電線監視端末のうち、前記最も配電変電所に近い配電線監視端末より末端方向に位置する配電線監視端末を所定数だけ情報収集の対象から除外する除外ステップと、
を備えることを特徴とする情報収集方法。
【請求項７】
設備情報管理サーバと情報収集サーバと配電線監視端末とを用いた配電線の情報を収集する情報収集システムであって、
前記設備情報管理サーバは、
配電線の構成が変更された際に変更後の配電線の構成の情報を記憶する記憶部と、配電線の構成の情報を送信する送信部と、を備え、
前記情報収集サーバは、
情報収集の対象となる配電線監視端末を選択する複数のプログラムを予め記憶する記憶部と、前記変更後の配電線の構成を受信する受信部と、受信した前記変更後の配電線の構成に含まれる全ての配電線監視端末から情報を収集するために要する時間を算出する演算部と、前記算出された時間と予め設定された情報収集の制限時間とを比較する収集時間制約判定処理部と、前記比較の結果、前記算出された時間が前記予め設定された制限時間を超える場合、前記複数のプログラムに対して、前記変更後の配電線の構成を基に優先順位を付与するプログラム順序決定処理部と、前記優先順位に従って前記プログラムを実行し、情報収集の対象となる配電線監視端末を選択する端末選択処理部と、前記選択された配電線監視端末から情報を収集する情報収集処理部と、を備えることを特徴とする情報収集システム。
【請求項８】
請求項７に記載の情報収集システムにおいて、
前記情報収集サーバの記憶部には予め配電線の構成情報に含まれる項目と、その項目に対応するしきい値とが対応付いたテーブルが記憶されており、
前記プログラム順序決定処理部は前記変更後の配電線の構成と前記テーブルとに基づいて当該配電線の構成の特徴を算出し、当該特徴に対応するプログラムを優先するように、前記優先順位を付与することを特徴とする情報収集システム。
【請求項９】
請求項７または請求項８に記載の情報収集システムにおいて、
前記端末選択処理部は、プログラムの優先順位に従って、各プログラムで選択される配電線監視端末を、前記予め設定された制限時間内で情報収集を実施できる最大数になるまで追加することを特徴とする情報収集システム。
【請求項１０】
請求項７または請求項８に記載の情報収集システムにおいて、
前記端末選択処理部は、プログラムの優先順位に従って、各プログラムで選択される配電線監視端末を、前記予め設定された制限時間内で情報収集を実施できる最大数から所定の数を減じた数になるまで追加することを特徴とする情報収集システム。
【請求項１１】
請求項９または請求項１０に記載の情報収集システムにおいて、
前記複数のプログラムは、区間開閉器に接続された配電線監視端末を選択するプログラム、事前に設定された配電線監視端末を選択するプログラム、柱状変圧器のタップ切り替え点近傍の配電線監視端末を選択するプログラム、および配電線の各分岐の末端を選択するプログラム、であることを特徴とする情報収集システム。
【請求項１２】
請求項１０に記載の情報収集システムにおいて、
前記端末選択処理部は、電力線において予め決められた規定範囲の電圧を逸脱したことを検知した場合に、電圧逸脱を検知した箇所の配電線監視端末の中で最も配電変電所に近い配電線監視端末を特定し、当該特定した配電線監視端末から配電変電所方向に隣接する配電線監視端末を情報収集の対象として選択し、
前記演算部は、当該情報収集の対象となった配電線監視端末から情報を収集するために要する時間を算出し、
前記収集時間制約判定処理部は、前記算出された時間と予め設定された情報収集の制限時間とを比較し、
前記端末選択処理部は、前記比較の結果、前記算出された時間が前記予め設定された制限時間を超える場合に、情報収集の対象となっている配電線監視端末のうち、前記最も配電変電所に近い配電線監視端末より末端方向に位置する配電線監視端末を所定数だけ情報収集の対象から除外することを特徴とする情報収集システム。
【請求項１３】
配電線の情報を収集する対象となる配電線監視端末を決定する情報収集対象決定方法であって、
配電線の構成が変更された際に、情報収集サーバが、変更後の配電線の構成に含まれる全ての配電線監視端末から情報を収集するために要する時間を算出する計算ステップと、
前記情報収集サーバが、前記算出された時間と予め設定された情報収集の制限時間とを比較する比較ステップと、
前記情報収集サーバが、前記比較の結果、前記算出された時間が前記予め設定された制限時間を超える場合、予め記憶された、情報収集の対象となる配電線監視端末を選択する複数のプログラムに、前記変更後の配電線の構成に基づいた優先順位を付与する優先順位付与ステップと、
前記情報収集サーバが、前記優先順位付与ステップで付与した優先順位に従って、前記プログラムを実行し、情報収集の対象となる配電線監視端末を選択する端末選択ステップと、
を備えることを特徴とする情報収集対象決定方法。
【請求項１４】
情報収集の対象となる配電線監視端末を選択する複数のプログラムを予め記憶する記憶部と、配電線の構成が変更された際に変更後の配電線の構成に含まれる全ての配電線監視端末から情報を収集するために要する時間を算出する演算部と、前記算出された時間と予め設定された情報収集の制限時間とを比較する収集時間制約判定処理部と、前記比較の結果、前記算出された時間が前記予め設定された制限時間を超える場合、前記複数のプログラムに対して、前記変更後の配電線の構成を基に優先順位を付与するプログラム順序決定処理部と、前記優先順位に従って前記プログラムを実行し、情報収集の対象となる配電線監視端末を選択する端末選択処理部と、を備えることを特徴とする配電線の情報を収集する情報収集装置。
【発明の詳細な説明】
【技術分野】
【０００１】
本発明は、情報収集方法及びシステムに関する。
【背景技術】
【０００２】
配電線遠隔監視制御システムでは、定期的に配電線上の複数地点（監視端末）の監視情報収集を行っており、１個ずつ順番に収集を行っている。一般的に遠隔監視制御システムでは収集時間制約を考慮した送受信に必要な通信容量を見積もった後に、その通信容量要件を満たす通信路を敷設する方法がとられる。
【０００３】
このような情報を遠隔から収集する仕組みとして特許文献１（特開２００２−３６５３２７号公報）がある。この公報には、配電系統の電柱上に事故検出器とＰＨＳ等の通信装置を配置し、事故発生時に電子メールをメールサーバに一斉送信することが開示されている（要約参照）。
【先行技術文献】
【特許文献】
【０００４】
【特許文献１】特開２００２−３６５３２７号公報
【発明の概要】
【発明が解決しようとする課題】
【０００５】
特許文献１に開示されている方法を適用してシステムを構築する場合は、通信路を無線通信部分と基幹通信部分から構成し、無線通信部分はスター型構造、基幹通信部分は光ファイバ等の大容量ネットワークであるため、通常時は通信容量要件を十分に満たして遠隔地に情報を収集することはできる。しかし公衆網である都合上、ベストエフォート型通信であり、回線混雑時には収集時間の要件を満たさない可能性がある。更に、社会インフラシステムは、広範囲のエリアにわたるシステムであるため、敷設コストの面やシステム移行期間が長いことから通信容量要件を満たせないエリアがシステム移行期間中に存在し、また、場合によっては移行期間後にも残る可能性がある。
【課題を解決するための手段】
【０００６】
そこで本発明では、通信容量要件が満たせない場合にも収集時間制約を満たし、かつ通信ネットワークがカバーしている電力線の置かれた環境に応じて優先して収集すべき端末を自動で選択して収集するというように収集対象を工夫することで、PHS等の通信インフラを利用することなく、監視情報を収集時間制約内に収集することを以下の具体策により実現する。
【０００７】
本願は上記課題を解決する手段を複数含んでいるが、その一例を説明する。
配電線の構成が変更された際に、情報収集サーバが、変更後の配電線の構成に含まれる全ての配電線監視端末から配電線の情報を収集するために要する時間を算出し、算出された時間と予め設定された情報収集の制限時間とを比較し、比較の結果、算出された時間が予め設定された制限時間より大きい場合、予め記憶された、情報収集の対象となる配電線監視端末を選定する複数のプログラムに対して、変更後の配電線の構成を基に優先順位を与え、与えた優先順位に従って、プログラムを実行することで端末を選択し、選択した端末から情報を収集する。
【発明の効果】
【０００８】
本願発明によればＰＨＳ等の通信インフラの影響により、通信容量要件を満たさない場合であっても、収集時間制約を満たして情報を遠隔地に収集できる。
【図面の簡単な説明】
【０００９】
【図１】配電線遠隔監視制御システム構成図の例である。
【図２】監視制御サーバのハードウエア構成図の例である。
【図３】ネットワーク構成テーブルの例である。
【図４】通信メディア別環境制約テーブルの例である。
【図５】共通環境制約テーブルの例である。
【図６】電力線環境制約テーブルの例である。
【図７】端末選択ロジックリストテーブルの例である。
【図８】端末選択ロジック適用順序リストテーブルの例である。
【図９】実施例１における情報収集方法について説明したフローチャートの例である。
【図１０】ステップ９０１を詳細に説明したフローチャートの例である。
【図１１】ステップ９０３を詳細に説明したフローチャートの例である。
【図１２】ステップ９０４を詳細に説明したフローチャートの例である。
【図１３】実施例２におけるネットワーク構成テーブルの例である。
【図１４】実施例２における情報収集方法について説明したフローチャートの例である。
【発明を実施するための形態】
【００１０】
以下、実施例を図面を用いて説明する。
【実施例１】
【００１１】
本実施例では、通信容量要件が満たせない場合にも収集時間制約を満たし、かつ通信ネットワークがカバーしている電力線の置かれた環境に応じて優先して収集すべき端末を自動で選択して収集する方法及びシステムの例を説明する。
【００１２】
図１は、本実施例の配電線遠隔監視制御システム構成図の例である。配電用変電所１００から電力線１０１を介して電力が送電される。配電用変電所１００からは複数の電力線１０１が出ている。電力線１０１は複数の区間開閉器１０２で区分されており、配電線事故時には区間開閉器１０２間の範囲に事故が発生していることがわかるようになっている。この区間開閉器１０２間の距離は数km以上にも渡る。電力線１０１には区間開閉器１０２以外に電圧調整機器やセンサ付き機器等の機器１０３が取り付けられている。配電用変電所１００には、監視制御親局１０４が設置されている。監視制御親局１０４からは通信線１０５が複数伸びており、電力線１０１上の複数の地点にある監視子局１０６と接続されている。監視制御親局１０４は、配電線遠隔監視制御サーバ１０８と監視子局１０６との間の通信を中継する装置であり、通信メディア（光ファイバ、メタル線、同軸ケーブル、無線等）や通信プロトコルの変換が行われる。監視制御親局１０４は通信線１０５を介して接続された監視子局１０６の情報を集約して配電線遠隔監視制御サーバ１０８と通信しても良い。もしくはＨＵＢのような単なる中継器でも良い。電力線１０１の配置と通信線１０５の配置は１対１に対応しておらず、複数の電力線１０１にまたがって通信線１０５が敷設されている。なお、通信線１０５は様々な種類の通信メディアで構成される。監視子局１０６は、区間開閉器１０２やその他電力線１０１上に接続された各種機器１０３や地点に設置されており、機器制御情報や電圧計測値、事故方向検知情報等の情報について監視制御親局１０４との間で送受信している。営業所１０７には、配電線遠隔監視制御サーバ１０８、設備情報管理サーバ１０９が設置されている。配電線遠隔監視制御サーバ１０８は、広域ネットワーク１１０を介して複数の配電変電所１００の監視制御親局１０４と接続されており、電力線１０１上の各種機器１０２、１０３の機器制御、監視、情報収集を行っている。監視をすることにより停電発生状態やその発生原因を把握することが可能となり、情報収集により配電系統の設備余力を把握することを行っている。また、停電発時に自動で停電区間を最小にするように区間開閉器１０２や機器１０３を遠隔操作する。広域ネットワーク１１０は、光ファイバ、メタル線、同軸ケーブル、無線等である。設備情報管理サーバ１０９は、各種設備機器の情報を管理している。設備の構成や配置、メンテナンス履歴を基に工事計画や点検の判断を行っている。
【００１３】
図２は、監視制御サーバ１０８の構成図の例である。監視制御サーバ１０８は、設備情報管理サーバ向け送受信部２００、監視制御親局向け送受信部２０１、制御部２０３、記憶部２０４、２０５を備える。これらは内部バス２０２等で接続される。設備情報管理サーバ向け送受信部２００は、図１における設備情報管理サーバ１０９から更新情報を受け取る。監視制御親局向け送受信部２０１は、図１における広域ネットワーク１１０を介して監視制御親局１０６と情報の送受信を行う。記憶部２０４、２０５は通信容量を計算したり端末を選択したりするために必要なネットワーク構成テーブル３００、通信メディア別環境制約テーブル４００、共通環境制約テーブル５００、電力線環境制約テーブル６００、端末選択ロジックリストテーブル７００、ロジック適用順序リストテーブル８００を保持している。
【００１４】
図３は、図２における記憶部２０４、２０５に保持されるネットワーク構成テーブル３００の例である。ネットワーク構成とは通信線１０５毎において、監視子局１０６がどれだけ接続されているか、また、各監視子局１０６と監視制御親局１０４との間で通信を行う時にどれだけ中継を行うか、更には各監視子局１０６がどのような場所もしくは機器に接続されているかを示す情報である。ネットワーク構成テーブル３００の登録項目は、通信線ＩＤ３０１、通信メディアＩＤ３０２、収集端末数３０３、中継数リスト３０４、端末フラグ３０５である。通信線ＩＤ３０１は、各配電変電所１００の監視制御親局１０４から出ている複数の通信線１０５につけられたＩＤである。通信メディアＩＤ３０２は通信メディアの種別ごとにつけられたＩＤであり、ひとつの通信線１０５に対して複数の通信メディアで構成されている場合もある。収集端末数３０３は、通信線ＩＤ３０１の通信線１０５上に設置された監視子局１０６の合計数である。中継数リスト３０４は、監視子局１０６の端末ＩＤと、監視制御親局１０４から該当する監視子局１０６まで通信を行う場合の送受信中継数からなるリストである。監視制御親局１０４と監視子局１０６間の距離が長い場合は通信メディアにより、複数の中継器を介して通信を行う場合がある。この中継器は監視子局１０６が兼ねる。なお、端末ＩＤは監視制御親局１０４から距離的に近いものから順番に割り振られる前提とする。端末フラグ３０５は監視子局１０６の種別を表すものであり、中継器専用端末である場合は１、区間開閉器１０２の監視子局１０６である場合は２、電力線１０１の末端付近にある機器１０３の監視子局１０６である場合は３、事前に設定した優先する監視子局１０６である場合は４、電力線１０１につながる柱上変圧器のタップ切替点付近にある監視子局１０６である場合は５、その他の場合は０の値が設定されている。
【００１５】
図４は、図２における記憶部２０４、２０５に保持される通信メディア別環境制約テーブル４００の例である。通信メディア別環境制約テーブル４００の登録項目は、通信メディアＩＤ３０２、通信容量４０２、ヘッダフッタサイズ４０３、中継遅延４０４、送信前遅延４０５、受信後遅延４０６である。通信メディア別環境制約テーブル４００は通信メディア毎の送受信を行う上での制約や条件について記述されたものである。通信容量４０２は、その通信メディアＩＤ３０２における通信容量である。ヘッダフッタサイズ４０３は、その通信メディアＩＤ３０２を活用して通信を行う場合に必要なヘッダとフッタのサイズを合計したものである。中継遅延４０４は、その通信メディアＩＤ３０２を活用して通信を行ったときに中継を行う場合、中継にかかる処理時間である。送信前遅延４０５、受信後遅延４０６は、その通信メディアＩＤ３０２を活用して通信を行うときに規定されている遅延時間である。
【００１６】
図５は、図２における記憶部２０４、２０５に保持される共通環境制約テーブル５００の例である。このテーブルは、通信メディアによらない共通の制約や条件について記述されたものである。共通環境制約テーブル５００の登録項目は、環境制約５０１とその値５０２である。環境制約５０１は、監視子局１０６でデータを受信した後にデータを送信するまでの処理遅延時間や、監視制御親局１０４でデータを受信した後にデータを送信するまでの処理遅延時間や、ヘッダフッタを含まない送受信データ容量や、通信のタイムアウトが発生した時のリトライ回数や収集時間制約から構成されている。
【００１７】
図６は、図２における記憶部２０４、２０５に保持される電力線環境制約テーブル６００の例である。電力線環境制約テーブル６００の登録項目は、通信線ＩＤ３０１、該当フィーダ距離リスト６０２、該当フィーダ分岐リスト６０３、該当フィーダＰＶ導入割合リスト６０４である。通信線ＩＤ３０１に該当する電力線１０１は複数あり、その複数の電力線１０１についてリスト化している。該当フィーダ距離リスト６０２は、複数ある電力線１０１のこう長のリストである。こう長とは電力線１０１が敷設された距離のことである。該当フィーダ分岐リスト６０３は、複数ある電力線１０１のそれぞれの分岐数のリストである。該当フィーダＰＶ導入割合リスト６０４は、複数ある電力線１０１のそれぞれの電力線１０１の負荷容量における太陽光発電導入容量の割合のリストである。
【００１８】
図７は、図２における記憶部２０４、２０５に保持される端末選択ロジックリストテーブル７００の例である。ここで、ロジックとは、プログラムと同義である。端末選択ロジックリストテーブル７００の登録項目は、ロジックＩＤ７０１、サブルーチンＩＤ７０２、長フィーダフラグ７０３、多分岐フラグ７０４、ＰＶ普及フラグ７０５である。ロジックＩＤ７０１は、複数ある端末選択のロジックを識別するＩＤである。サブルーチンＩＤ７０２は、ロジックＩＤ７０１に該当する端末選択のロジックを実装したサブルーチンを識別するＩＤである。長フィーダフラグ７０３、多分岐フラグ７０４、ＰＶ普及フラグ７０５は、各々条件を満たした場合に端末選択ロジックの適用優先度を変更するための値であり、０であれば条件を満たしていても端末選択ロジックの適用優先度を変更しないことを表し、０でない値は条件を満たした場合に端末選択ロジックの適用優先度をその値だけ変更するということを表している。例えばロジックＩＤ７０１の値が５のものが長フィーダフラグ７０３の条件を満たした場合、ロジックＩＤ７０１の適用優先度を１あげるということを表し、多分岐フラグ７０４の条件を満たした場合でもロジックＩＤ７０１の適用優先度は変えないということを表している。例えば端末選択ロジックは、ロジックＩＤ７０１の１が区間開閉器１０２に接続された監視子局１０６を選択するロジック、２が事前に設定された監視子局１０６を選択するロジック、３が柱上変圧器のタップ切替点近傍の監視子局１０６を選択するロジック、４が配電線１０１の各分岐の末端を選択するロジック、５が監視制御親局１０４から遠い監視子局１０６を優先して選択するロジックである。
【００１９】
図８は、図２における記憶部２０４、２０５に保持される端末選択ロジック適用順序リストテーブル８００の例である。ロジック適用の優先度を変更した後の優先順を示すテーブルであり、適用順序リストテーブル８００の登録項目は、優先順位８０１、ロジックＩＤ７０１、サブルーチンＩＤ７０２である。優先順位８０１の順に端末選択のロジックを適用して収集端末を選択する。
【００２０】
図９のフローチャートを用いて、情報収集方法を説明する。設備情報管理サーバ１０９で、機器追加やネットワーク構成の変化等の関連情報の追加変更時に監視制御サーバ１０８で該当する通信線１０５に対して1回実行される。収集時間算出処理部が、追加変更の影響を受ける通信線１０５に属する全監視子局１０６から情報を収集する場合の収集時間をネットワーク構成テーブル３００、通信メディア別環境制約テーブル４００、共通環境制約テーブル５００を参照して計算する（ステップ９０１）。次に収集時間制約判定処理部が共通環境制約テーブル５００に登録されている収集時間制約とステップ９０１で計算した収集時間を比較して（ステップ９０２）、収集時間制約を超える場合はステップ９０３を、超えない場合はステップ９０５を実行する。収集時間制約を超える場合は、ロジック順序決定処理部が電力線環境制約テーブル６００と端末選択ロジックリストテーブル７００から端末選択ロジックの適用順序を決定する（ステップ９０３）。次に端末選択処理部が、端末選択ロジック適用順序リストテーブル８００を参照して決定した端末選択ロジック適用順に収集端末を1つずつ選択してステップ９０１の方法で収集時間を計算して収集時間要件を満たす間収集端末として追加してゆく（ステップ９０４）。最後に収集端末のリストを該当する監視制御親局１０４に送信する（ステップ９０５）。
【００２１】
図１０のフローチャートに基づき、ステップ９０１における収集時間の計算方法の詳細を説明する。まず、ネットワーク構成テーブル３００から該当する通信線ＩＤ３０１の通信メディアＩＤ３０２、収集端末数３０３、中継数リスト３０４、端末フラグ３０５の情報を抽出する（ステップ１００１）。次に、通信メディア別環境制約テーブル４００から該当する通信メディアＩＤの情報を抽出する（ステップ１００２）。次に、共通環境制約テーブル５００から情報を抽出する（ステップ１００３）。次に、端末ＩＤおよび収集時間を初期化する（ステップ１００４）。全ての端末に対して通信時間を計算したかを確認し（ステップ１００５）、まだ終わっていなければステップ１００６を、終わっていれば処理を終了する。全ての端末に対して通信時間を計算していない場合は、端末１つに対して抽出した通信容量と送信データ容量、各種遅延や中継段数を基に通信時間を計算する（ステップ１００６）。次に収集時間をこれまでの収集時間の合計に追加し、端末ＩＤをインクリメントする（ステップ１００７）。
【００２２】
図１１のフローチャートに基づき、ステップ９０３における端末選択ロジック適用順序の決定方法の詳細を説明する。まず、端末選択ロジック適用順序リストテーブル８００とフラグ確認番号を初期化する（ステップ１１０１）。次にフラグ確認番号をインクリメントする（ステップ１１０２）。次にフラグ確認番号と端末選択ロジックリストテーブル７００の各フラグ種別の個数（例えば図７では７０３、７０４、７０５の３つ）を比較し、全てのフラグについて確認処理済みであれば処理を終了し、確認処理が済んでいないものがあればステップ１１０４を実行する。確認処理が済んでいないものがあれば端末選択ロジックリストテーブル７００のフラグ項目と電力線環境制約テーブル６００から該当する通信線ＩＤ３０１がフラグ条件を満たすかどうかを判断し、フラグ条件を満たしていればステップ１１０５を実行し、満たしていなければステップ１１０２を実行する（ステップ１１０４）。例えば通信線ＩＤ３０１が１０００２の通信線１０５に対し、長フィーダフラグ７０３の条件を３０キロメートル以上とすれば、電力線環境制約テーブル６００の該当フィーダ距離リスト６０２の通信線ＩＤ３０１が１０００２の部分を確認し、３０キロメートル以上の電力線１０１が存在している（４０キロメートル）ため、フラグ条件を満たすこととなる。フラグ条件を満たしていれば、端末選択ロジックリストテーブル７００の該当フラグ部分を参照し、対応するロジックＩＤ７０１の優先順位を端末選択ロジックリストテーブル７００の該当フラグに書かれた値だけ加算し端末選択ロジック適用順序リストテーブルを更新する（ステップ１１０５）。例えば長フィーダフラグ７０３の条件を満たしていればロジックＩＤ７０１が５の優先順位を１上げることになる。
【００２３】
図１２のフローチャートに基づき、ステップ９０４における端末選択ロジックの順次適用により収集時間制約を満たす間、収集端末を追加していく方法の詳細を説明する。まず、選択端末ＩＤ、収集時間合計値、選択ロジックＩＤ、収集端末リストを初期化する（ステップ１２０１）。次に端末選択ロジック適用順序リストテーブル８００を参照して、選択されているロジックＩＤ７０１に該当するサブルーチンＩＤ７０２からサブルーチンを実行し、選択した端末数と端末リストを設定する（ステップ１２０２）。次にステップ１２０２で設定された端末リストに含まれている端末全てに対して処理が終わった場合はステップ１２０７を実行し、終わっていない場合はステップ１２０４を実行する（ステップ１２０３）。ステップ１２０２で設定された端末リストに含まれている端末全てに対して処理が終わっていない場合は、前述のステップ１００６を実行して該当する端末ＩＤの情報収集時間を計算し、収集時間合計値とステップ１００６で計算した収集時間の和が収集時間制約を超えるかどうかを判断し、超える場合は処理を終了し、超えない場合はステップ１２０６を実行する（ステップ１２０５）。超えない場合は収集時間合計値にステップ１００６で計算した収集時間を加算し、収集端末リストに該当端末ＩＤを追加し、ステップ１２０３を実行する（ステップ１２０６）。ステップ１２０３において、ステップ１２０２で設定された端末リストに含まれている端末全てに対して処理が終わった場合は端末選択ロジックがすべて選択されたかどうかを確認し、全て選択済みである場合は処理を終了し、そうでない場合は次の端末選択ロジックに対してステップ１２０２を実行する（ステップ１２０７）。
【００２４】
このように、まず全収集端末から情報を収集する場合の収集時間を計算して、収集時間制約を満たせない場合は、置かれた環境に応じて複数ある端末選択ロジックの適用順序を自動で判断し、収集時間制約を満たす最大限の端末から最適な情報を収集することが可能となる。
【００２５】
更に、追加拡張時や通信メディア更新時にも監視制御サーバソフトウェアの改修を不要とし、柔軟に対応可能となる。
【００２６】
更に、通信ネットワークがカバーしている電力線の置かれた環境に応じて優先して収集すべき端末を選択していることから、系統状態を正確に把握できることで太陽光発電普及等に応じた系統安定化の設備計画判断の支援を行うことが出来る。
【実施例２】
【００２７】
実施例２は、収集時間制約を満たす最大限の端末ではなく、1端末収集分追加できる余裕を持たせておき、該当する電力線１０１において予め決められた規定範囲の電圧を逸脱したことを検知した場合は、逸脱を検知した区間開閉器１０２や機器１０３の中で最も配電変電所１００よりの区間開閉器１０２や機器１０３を対象として、その１つ配電変電所１００よりの監視子局１０６が接続された区間開閉器１０２や機器１０３を対象として、その監視子局１０６を収集端末として追加して収集するという点で実施例１と異なる。なお、端末の数を１としたのは一例であり、複数端末を余分としてもたせても良い。
【００２８】
図１３は、実施例２におけるネットワーク構成テーブル３００の例である。ネットワーク構成テーブル３００の登録項目は、通信線ＩＤ３０１、通信メディアＩＤ３０２、収集端末数３０３、中継数リスト３０４、端末フラグ３０５、隣接端末リスト１３０１である。隣接端末リスト１３０１は、該当する端末ＩＤの監視子局１０６に接続された区間開閉器１０２や機器１０３の、１つ配電変電所１００よりの区間開閉器１０２や機器１０３に接続された監視子局１０６の端末ＩＤおよび、１つ電力線１０１の末端よりの区間開閉器１０２や機器１０３に接続された監視子局１０６の端末ＩＤの集合のリストである。
【００２９】
図１４は、実施例２における情報収集方法を表したフローチャートである。設備情報管理サーバ１０９で関連情報の追加変更時、もしくは予め決められた規定範囲の電圧を逸脱したことを検知した場合に監視制御サーバ１０８で該当する通信線１０５に対して1回実行される。まず電圧逸脱の検知かどうかを判断し、電圧逸脱発生でなければステップ９０１を実行し、電圧逸脱発生であればステップ１４０３を実行する（ステップ１４０１）。電圧逸脱発生でなければステップ９０１から９０４を実行し、次に、収集端末リストから最後に追加された1端末を削除する（ステップ１４０２）。これにより、収集時間制約を満たす最大限の端末ではなく、1端末収集分追加できる余裕を持たせることとなる。ステップ１４０１において、電圧逸脱発生であればネットワーク構成テーブル３００の該当する通信線ＩＤ３０１、通信メディアＩＤ３０２における端末ＩＤに対する隣接端末リスト１３０１から、該当する端末ＩＤの１つ配電変電所１００よりの区間開閉器１０２や機器１０３に接続された監視子局１０６の端末ＩＤおよび、１つ電力線１０１の末端よりの区間開閉器１０２や機器１０３に接続された監視子局１０６の端末ＩＤを取り出し、該当する端末ＩＤの１つ配電変電所１００よりの区間開閉器１０２や機器１０３に接続された監視子局１０６が収集端末リストに含まれていない場合は、情報収集を行うために必要な収集時間を計算し、収集端末リストに該当する端末ＩＤの１つ配電変電所１００よりの区間開閉器１０２や機器１０３に接続された監視子局１０６の端末ＩＤを追加する（ステップ１４０３）。既に収集端末リストに含まれている場合は追加を行わない。次に、ステップ１４０３の計算結果と、現在の収集時間合計を加算したものが収集時間制約を超えるかどうか判断し、超える場合はステップ１４０５を実行し、超えない場合はステップ９０５を実行する（ステップ１４０４）。収集時間制約を超える場合は、該当する端末ＩＤの１つ電力線１０１の末端よりの区間開閉器１０２や機器１０３に接続された監視子局１０６の端末ＩＤを収集端末リストに含まれているものが見つかるまで繰り返し検索し、収集端末リストから削除しステップ９０５を実行する（ステップ１４０５）。
【００３０】
このように、実施例２では予め決められた規定範囲の電圧を逸脱した場合には、電圧変動余裕が最も小さいエリアを自動で選択して監視を継続することが可能となる。
【符号の説明】
【００３１】
１０８  監視制御サーバ
１０９  設備情報管理サーバ
１１０  広域ネットワーク
１０４  監視制御親局
１０５  通信線
１０６  監視子局
１００  配電変電所
１０１  配電線
１０２  区間開閉器
１０３  機器
【図１】
2014006831.tif 000003
【図２】
2014006831.tif 000004
【図３】
2014006831.tif 000005
【図４】
2014006831.tif 000006
【図５】
2014006831.tif 000007
【図６】
2014006831.tif 000008
【図７】
2014006831.tif 000009
【図８】
2014006831.tif 000010
【図９】
2014006831.tif 000011
【図１０】
2014006831.tif 000012
【図１１】
2014006831.tif 000013
【図１２】
2014006831.tif 000014
【図１３】
2014006831.tif 000015
【図１４】
2014006831.tif 000016